(57)【要約】【課題】別体のヒューズホルダや大型のガイド部材を設ける必要がなく、電気接続箱の電気回路への接続状態と非接続状態とに切り替えて位置決め保持できる、新規な構造の回路接続部品およびそれを備えた電気接続箱を提供する。【解決手段】導電性の導通部材１６を絶縁性の被覆部材１８で覆うと共に、電気接続箱１２への着脱に際して摘むことができる把持部４４を前記被覆部材１８から突出して一体形成する一方、前記電気接続箱１２への挿し込み途上において該電気接続箱１２に対して係止されることにより、前記導通部材１６の接続端子２０を前記電気接続箱１２への電気回路５８への非接続状態に位置決めして仮保持する仮保持部２６，２６を、前記被覆部材１８から突出して一体形成した。【選択図】図１
2011035958.tif 000002
【特許請求の範囲】
【請求項１】
導電性の導通部材が絶縁性の被覆部材で覆われていると共に、前記導通部材に形成された接続端子が前記被覆部材から突出されており、電気接続箱に対して前記接続端子の突出方向に挿し込まれることにより前記接続端子が前記電気接続箱の電気回路に接続される回路接続部品において、
前記電気接続箱への着脱に際して摘むことができる把持部が前記被覆部材から突出して一体形成されている一方、前記電気接続箱への挿し込み途上において該電気接続箱に対して係止されることにより、前記導通部材の前記接続端子を前記電気接続箱の前記電気回路への非接続状態に位置決めして仮保持する仮保持部が、前記被覆部材から突出して一体形成されていることを特徴とする回路接続部品。
【請求項２】
前記仮保持部が、前記電気接続箱に対して係止されることにより前記回路接続部品の挿込方向の変位を規制する第一の保持側係止部と、前記電気接続箱に対して係止されることにより前記回路接続部品の引抜方向の変位を規制する第二の保持側係止部とを含んで構成されている請求項１に記載の回路接続部品。
【請求項３】
前記導通部材に溶断部が設けられており、前記被覆部材の外部から前記溶断部が目視可能とされている請求項１又は２に記載の回路接続部品。
【請求項４】
前記被覆部材において、前記接続端子の前記電気接続箱への挿込方向と反対側に向かって、前記把持部が突出している請求項１〜３の何れか一項に記載の回路接続部品。
【請求項５】
前記被覆部材の長さ方向の両端部分において前記接続端子の一対がそれぞれ前記電気接続箱への挿込方向に向かって突出している一方、前記一対の接続端子間に位置して、前記被覆部材から前記接続端子部と同じ方向に突出する突出脚部によって前記仮保持部が構成されている請求項１〜４の何れか一項に記載の回路接続部品。
【請求項６】
前記被覆部材の長さ方向両側に張り出して且つ側方に沿ってそれぞれ前記電気接続箱への挿込方向に向かって突出する一対の突出脚部によって前記仮保持部が構成されている請求項１〜４の何れか一項に記載の回路接続部品。
【請求項７】
前記一対の突出脚部には、外周面において前記電気接続箱への係止部が形成されていると共に、前記一対の突出脚部には、手指で押圧して弾性変形させる押圧部が形成されており、該押圧部への押圧作用での弾性変形で係止が解除される請求項６に記載の回路接続部品。
【請求項８】
請求項１〜７の何れか一項に記載の回路接続部品が装着される電気接続箱であって、
前記回路接続部品の装着部と、前記仮保持部に対して係止されて前記回路接続部品を仮位置決めする仮受部と、を備えたことを特徴とする電気接続箱。
【請求項９】
前記仮受部が、前記回路接続部品の第一保持側係止部に対して係止されることにより前記回路接続部品の挿込方向の変位を規制する第一の受側係止部と、前記回路接続部品の第二保持側係止部に対して係止されることにより前記回路接続部品の引抜方向の変位を規制する第二の受側係止部とを含んで構成されている請求項８に記載の電気接続箱。
【発明の詳細な説明】
【技術分野】
【０００１】
本発明は、自動車用電気接続箱の電気部品装着部に対して予め非接続状態で保持され得る回路接続部品および該回路接続部品を備えた電気接続箱に関する。
【背景技術】
【０００２】
従来から、自動車の電気配線の効率化やメンテナンス性の向上を目的としてリレーボックス、ヒューズボックス等の電気接続箱が用いられている。この電気接続箱は、バッテリーから電気の供給を受け、ヒューズやバスバー等により構成された内部回路に接続された外部電線を介して各種の電装品へ電気を分配供給するようになっている。従って、車両輸出時等、長期に亘って運転を休止する際には、バッテリーの消耗を防止する目的から、時計等の常時電力を消費する回路（以下、暗電流回路）に設けられた暗電流用ヒューズ等、回路を接続して導通させる部品（以下、回路接続部品）を取り外して、バッテリーからの電流を遮断することが行われている。
【０００３】
ところで、暗電流回路から取り外された暗電流用ヒューズは、車両使用時には、暗電流回路の所定箇所に再度接続する必要がある。そこで、暗電流用ヒューズの紛失および誤接続を防止する目的から、暗電流用ヒューズを収容保持するホルダーを別途設けると共に、該ホルダーを暗電流用ヒューズの接続部に対して、非接続位置および接続位置に切り替えて保持できる保持構造が提案されている。例えば、米国特許第６０３３２５２号明細書（特許文献１）に記載の如くである。
【０００４】
ところが、このような保持構造では、ホルダーを別体で形成する必要があり部品点数の増加が避けられない。また、ヒューズのホルダーの収容部からの飛び出しを防止するために、ヒューズ収容部を覆う蓋部材を採用する必要があり、ホルダーの構造が複雑になると共に、組立工程も煩雑となる。
【０００５】
なお、特開２００６−２８６５０４号公報（特許文献２）には、ヒューズフォルダを不要にすべく、暗電流用ヒューズ接続部から外方に大きく突出する挿入ガイド面を設けて、ヒューズ接続部から離れた場所で仮保持する構造が提案されている。しかしながら、ヒューズフォルダの代わりに挿入ガイドが別途必要になるだけであって、構造の簡素化は何ら図られていない。特に、ヒューズ接続部から大きく突出する挿入ガイド面は、暗電流が接続状態とされた後は、ヒューズの交換等その後のメンテナンス作業での邪魔となり、好ましくない。
【先行技術文献】
【特許文献】
【０００６】
【特許文献１】米国特許第６０３３２５２号明細書
【特許文献２】特開２００６−２８６５０４号公報
【発明の概要】
【発明が解決しようとする課題】
【０００７】
本発明は、上述の事情を背景に為されたものであって、その解決課題は、上述の暗電流ヒューズのような回路接続部品を、電気接続箱の電気回路に対して接続状態と非接続状態とに位置を切り替え変更して保持させることができる新規な保持技術であって、別体のヒューズホルダや大型のガイド部材を設ける必要がなく、電気接続箱の電気回路への接続状態と非接続状態とに切り替えて位置決め保持できる新規な構造の回路接続部品およびそれを備えた電気接続箱を提供することにある。
【課題を解決するための手段】
【０００８】
回路接続部品に関する本発明の第一の態様は、導電性の導通部材が絶縁性の被覆部材で覆われていると共に、前記導通部材に形成された接続端子が前記被覆部材から突出されており、電気接続箱に対して前記接続端子の突出方向に挿し込まれることにより前記接続端子が前記電気接続箱の電気回路に接続される回路接続部品において、前記電気接続箱への着脱に際して摘むことができる把持部が前記被覆部材から突出して一体形成されている一方、前記電気接続箱への挿し込み途上において該電気接続箱に対して係止されることにより、前記導通部材の前記接続端子を前記電気接続箱の前記電気回路への非接続状態に位置決めして仮保持する仮保持部が、前記被覆部材から突出して一体形成されていることを、特徴とする。
【０００９】
本発明によれば、ヒューズ等の回路接続部品自体に把持部や仮保持部を一体成形したことから、従来必要とされていたホルダなどの別部品を不要とすることが出来、部品点数の削減を図ることが出来る。更に、これら把持部や仮保持部を一体成形したことによって、ヒューズ等が別体のホルダから抜け出す等の問題も解消することが出来る。なお、本発明における回路接続部品は、導通部材に溶断部を有するヒューズのみならず、導通部材に溶断部を有することなく、一時的な電気回路の遮断等に用いられる所謂ショートピンなどでも良い。
【００１０】
そして、回路接続部品を、電気回路への装着部から離れた別の場所で仮保持するのではなく、ヒューズ等の挿込方向となる一直線上で、その途中の位置に仮保持するようにされている。これにより、ヒューズ等を仮保持するためのスペースを電気接続箱における装着部と別に余分に設けることが不要とされて、スペース効率の向上が図られると共に、当該余分の仮保持部の構造によって他の作業に支障が生ずる問題も軽減乃至は回避され得る。更に、回路接続部品を挿込方向の途中で仮保持出来ることから、回路接続部品を挿込方向に押し込むという簡易な操作で電気回路と接続することが出来ると共に、誤組付けの防止も図られる。
【００１１】
回路接続部品に関する本発明の第二の態様は、前記第一の態様に記載のものにおいて、前記仮保持部が、前記電気接続箱に対して係止されることにより前記回路接続部品の挿込方向の変位を規制する第一の保持側係止部と、前記電気接続箱に対して係止されることにより前記回路接続部品の引抜方向の変位を規制する第二の保持側係止部とを含んで構成されているものである。
【００１２】
このようにすれば、回路接続部品の挿込方向と引抜方向の両方の変位を規制して仮保持状態をより安定的に維持することが出来る。これにより、仮保持された回路接続部品の意図せぬ電気回路との接続や電気接続箱からの脱落をより確実に防止することが出来る。
【００１３】
回路接続部品に関する本発明の第三の態様は、前記第一又は第二の態様に記載のものにおいて、前記導通部材に溶断部が設けられており、前記被覆部材の外部から前記溶断部が目視可能とされているものである。
【００１４】
従来構造のヒューズホルダにおいては、ヒューズの略全体が覆われてホルダに収容されることから、ヒューズホルダへの収容状態でヒューズの溶断部を目視することは殆ど不可能であり、溶断部の状態を確認するためには、その都度ヒューズをホルダから取り出して確認する手間が必要であった。これに対して、本態様によれば、被覆部材に把持部と仮保持部を一体的に突出形成したことから、溶断部を被覆する部位は従来のヒューズ等と同様に視認可能に構成することが出来る。そして、溶断部が外部から直接に視認可能であることから、例えば仮保持状態を維持したままで溶断部の状態を確認することも出来る。
【００１５】
回路接続部品に関する本発明の第四の態様は、前記第一〜第三の何れか一つの態様に記載のものにおいて、前記被覆部材において、前記接続端子の前記電気接続箱への挿込方向と反対側に向かって、前記把持部が突出しているものである。
【００１６】
本態様によれば、把持部の突出方向が回路接続部品の電気接続箱に対する挿抜方向と同方向に延び出されていることから、手指等からの操作力を挿抜方向に効果的に作用させて、接続端子の電気回路への着脱操作をより容易に行なうことが出来る。
【００１７】
特に本態様においては、前記把持部が前記被覆部材の中心軸上で突出されている態様が好適に採用される。即ち、従来構造の如き別体のホルダの場合には、ヒューズを収容すべき収容部がホルダの中心に設けられて、収容部の上端面には、ヒューズを挿入するための開口部とこれを覆蓋する蓋部を設ける必要があった。それ故、把持部を中心軸上に設けようとすると蓋部上に設けなければならず、把持部の操作力が蓋部を介してホルダに及ぼされることとなり、ホルダに対して有効な操作力を及ぼすことが困難であった。これに対して、本態様によれば、蓋部等を介することなく被覆部材から直接に把持部を一体形成出来ることから、被覆部材の中心軸上に把持部を位置させることによって、より有効な操作力を得ることが出来る。
【００１８】
回路接続部品に関する本発明の第五の態様は、前記第一〜第四の何れか一つの態様に記載のものにおいて、前記被覆部材の長さ方向の両端部分において前記接続端子の一対がそれぞれ前記電気接続箱への挿込方向に向かって突出している一方、前記一対の接続端子間に位置して、前記被覆部材から前記接続端子部と同じ方向に突出する突出脚部によって前記仮保持部が構成されているものである。
【００１９】
このようにすれば、突出脚部を回路接続部品の側方に突出することなく形成することが出来る。従って、電気接続箱への取付状態で、突出脚部を回路接続部品の装着スペース内に納めることが可能であり、良好なスペース効率を得ることが出来る。更に、従来構造の如きヒューズホルダに比して他部材との干渉のおそれを小さくすることが出来て、メンテナンス等の作業の邪魔となるおそれを軽減することが出来る。また、回路接続部品の側方に突出することなく仮保持部を形成できることから、電気接続箱におけるヒューズキャビティ等の回路接続部品装着部の形状、特に外形を特別に変更したりすること無く、本発明に従う回路接続部品を装着することが出来る。また、一つの突出脚部で仮保持部を構成することも可能であって、突出脚部の形成材料の削減を図ることも出来る。
【００２０】
回路接続部品に関する本発明の第六の態様は、前記第一〜第四の何れか一つの態様に記載のものにおいて、前記被覆部材の長さ方向両側に張り出して且つ側方に沿ってそれぞれ前記電気接続箱への挿込方向に向かって突出する一対の突出脚部によって前記仮保持部が構成されているものである。
【００２１】
このようにすれば、両側の一対の突出脚部で電気接続箱に係止されることによって、仮保持状態をより安定させることが出来る。それと共に、一対の突出脚部の案内作用によって、電気接続箱への挿し込みもより安定的に行なうことが出来る。なお、一対の突出脚部は、被覆部材を含んで、全体として門形とされることが好ましい。また、例えば回路部品装着部の側方に突出脚部の収容孔を設ける等するだけで本発明に従う回路接続部品を装着可能とすることが出来る。
【００２２】
回路接続部品に関する本発明の第七の態様は、前記第六の態様に記載のものにおいて、前記一対の突出脚部には、外周面において前記電気接続箱への係止部が形成されていると共に、前記一対の突出脚部には、手指で押圧して弾性変形させる押圧部が形成されており、該押圧部への押圧作用での弾性変形で係止が解除されるものである。このようにすれば、押圧部を押圧することで突出脚部と電気接続箱との係合状態を容易に解除することが出来て、仮保持状態や電気回路への接続状態における固定力を有効に確保しつつ、回路接続部品の電気接続箱からの取り外しを容易に行なうことが出来る。その結果、回路接続部品の交換も容易に行なうことが出来る。なお、本態様における押圧部は、例えば適当な工具を介して手指で押圧しても良い。
【００２３】
電気接続箱に関する本発明の第一の態様は、前記第一〜第七の何れか一つの態様に係る回路接続部品が装着される電気接続箱であって、前記回路接続部品の装着部と、前記仮保持部に対して係止されて前記回路接続部品を仮位置決めする仮受部と、を備えたことを特徴とする。
【００２４】
このような電気接続箱によれば、回路接続部品を挿し込み途上において電気回路への非接続状態で仮保持することが出来る。これにより、装着部から離れた位置に回路接続部品の保持部を設けることが不要とされて、良好なスペース効率を得ることが出来ると共に、回路接続部品の接続作業をより簡易に且つ誤組付けのおそれを軽減してより確実に行なうことが出来る。
【００２５】
電気接続箱に関する本発明の第二の態様は、前記電気接続箱に関する第一の態様に記載のものにおいて、前記仮受部が、前記回路接続部品の第一保持側係止部に対して係止されることにより前記回路接続部品の挿込方向の変位を規制する第一の受側係止部と、前記回路接続部品の第二保持側係止部に対して係止されることにより前記回路接続部品の引抜方向の変位を規制する第二の受側係止部とを含んで構成されているものである。
【００２６】
このようにすれば、回路接続部品の変位を挿込方向と引抜方向の両方で規制して仮保持状態により安定的に維持することが出来る。これにより、仮保持された回路接続部品の意図せぬ電気回路との接続や電気接続箱からの脱落をより確実に防止することが出来る。
【発明の効果】
【００２７】
本発明によれば、導通部材を被覆する被覆部材に仮保持部を一体形成した。これにより、別体のホルダを用意したり、電気接続箱側にホルダに代わる大型の挿入ガイド部等を設けることなく、回路接続部品を仮保持することが出来る。そして、仮保持部によって回路接続部品が電気接続箱への挿し込み途上で仮保持されることから、電気接続箱への装着も容易に行なうことが出来る。更に、被覆部材に把持部を一体形成したことによって、把持部を用いて回路接続部品の電気回路への挿抜をより容易に行なうことが出来る。
【図面の簡単な説明】
【００２８】
【図１】本発明の第一の実施形態としての回路接続部品および電気接続箱を示す斜視図。
【図２】図１に示した回路接続部品の正面図。
【図３】図１に示した回路接続部品の電気接続箱への仮保持状態と装着状態を示す断面説明図。
【図４】本発明の第二の実施形態としての回路接続部品を示す斜視図。
【図５】図４に示した回路接続部品の、本発明の第二の実施形態としての電気接続箱に対する仮保持状態を示す断面説明図。
【図６】本発明の第三の実施形態としての回路接続部品の、本発明の第三の実施形態としての電気接続箱に対する仮保持状態を示す断面説明図。
【図７】本発明の第四の実施形態としての回路接続部品および電気接続箱を示す斜視図。
【図８】図７に示した回路接続部品と電気接続箱の異なる態様を説明するための説明図。
【図９】本発明の第五の実施形態としての回路接続部品および電気接続箱を示す斜視図。
【図１０】図９に示した電気接続箱の異なる態様を説明するための斜視図。
【図１１】把持部の異なる態様を説明するための斜視図。
【図１２】把持部の更に異なる態様を説明するための斜視図。
【図１３】把持部の更に異なる態様を説明するための斜視図。
【図１４】把持部の更に異なる態様を説明するための斜視図。
【図１５】把持部の更に異なる態様を説明するための斜視図。
【図１６】把持部の更に異なる態様を説明するための斜視図。
【図１７】把持部の更に異なる態様を説明するための斜視図。
【発明を実施するための形態】
【００２９】
以下、本発明の実施形態について、図面を参照しつつ説明する。
【００３０】
先ず、図１に、回路接続部品に関する本発明の第一の実施形態としての回路接続部品に係るヒューズ１０と、電気接続箱に関する本発明の第一の実施形態としての電気接続箱１２の要部を示す。ヒューズ１０は所謂暗電流用ヒューズであり、電気接続箱１２の装着部１４に着脱可能とされている。
【００３１】
図２に、ヒューズ１０を示す。ヒューズ１０は、導電性の導通部材１６が絶縁性の被覆部材１８で被覆された構造とされている。導通部材１６は導電性の金属から形成されており、長手板形状を有する一対の接続端子２０，２０を有している。これら接続端子２０，２０は互いに所定距離を隔てて配設されており、接続端子２０，２０の間に一体形成された溶断部２２で互いに連結されている。そして、所定値以上の電流が溶断部２２に流れた場合には、溶断部２２が溶断することによって、互いの接続端子２０，２０の電気的導通が遮断されるようになっている。なお、溶断部２２を溶断させる電流値は溶断部２２の断面積や形状等を調節することによって適宜に設定される。また、接続端子２０、２０の厚さ寸法と幅寸法および離隔距離は特に限定されるものではないが、本実施形態においては、従来公知のヒューズの接続端子と等しく設定されている。
【００３２】
このような導通部材１６は被覆部材１８で被覆されている。被覆部材１８は絶縁性の合成樹脂から形成された平板形状とされており、この被覆部材１８内に導通部材１６の溶断部２２が収容されていると共に、被覆部材１８の長手方向（図２中、左右方向）の両端部分から導通部材１６の接続端子２０、２０がそれぞれ突出されている。これら接続端子２０，２０の被覆部材１８からの突出方向（図２中、下方）がヒューズ１０の電気接続箱１２への挿込方向とされている。また、被覆部材１８には、少なくとも溶断部２２の収容部位において薄肉とされて内部が視認可能な視認部２４が形成されており、この視認部２４によって、被覆部材１８の外部から溶断部２２が目視可能とされている。要するに、ヒューズ１０は、平板形状とされた被覆部材１８と、被覆部材１８から突出された一対の接続端子２０，２０によって、従来公知の所謂ミニヒューズと略同様の形状を部分的に備えている。なお、被覆部材１８による導通部材１６の被覆は、例えば被覆部材１８に形成した収容部に導通部材１６を収容した後に溶着したり、導通部材１６を被覆部材１８にインサート成形したりしても良い。
【００３３】
そして、被覆部材１８の長手方向（図２中、左右方向）の両端部分には、仮保持部としての一対の突出脚部２６が形成されている。突出脚部２６は、全体として、被覆部材１８の長さ方向両側（図２中、左右両側）に張り出して、且つ被覆部材１８の側方に沿ってそれぞれ電気接続箱１２への挿込方向（図２中、下方）に向かって突出されている。具体的には、被覆部材１８の長さ方向両端部には、被覆部材１８の長さ方向外側に突出する一対の側方突出板部２８，２８が被覆部材１８の厚さ方向（長さ方向に直交する方向）で所定距離を隔てて被覆部材１８と一体成形されている。これら側方突出板部２８，２８の外側端部には、接続端子２０と同方向に突出する第一の延出板部３０，３０がそれぞれ一体形成されており、これら第一の延出板部３０，３０が延出端部で互いに連結されている。第一の延出板部３０における突出方向略中間部分の外側面には、ヒューズ１０の厚さ方向外側に突出する第一の保持側係止部３２が形成されている。
【００３４】
さらに、側方突出板部２８、２８の外側端部において接続端子２０と反対側には、被覆部材１８の長さ方向外方に更に突出する張出部３４、３４がそれぞれ形成されており、被覆部材１８の厚さ方向で所定距離を隔てて離隔位置されている。そして、これら一対の張出部３４，３４の間から、接続端子２０と同方向に突出する第二の延出板部３６が一体形成されており、一対の張出部３４，３４は、第二の延出板部３６の幅方向両端縁部で互いに連結されている。第二の延出板部３６は被覆部材１８の側方に沿って延びる板形状とされており、その延出先端部は、一対の第一の延出板部３０，３０の延出先端部と互いに連結されている。なお、第二の延出板部３６のヒューズ１０の内側面には、略全長に亘って延びる補強リブ３７が形成されている。そして、第二の延出板部３６の外側面には、ヒューズ１０の側方で外側に突出する第二の保持側係止部３８が形成されている。第二の保持側係止部３８は、第一の保持側係止部３２に比してヒューズ１０の挿込方向の前方（図２中、下方）に位置されている。
【００３５】
これら一対の第一の延出板部３０，３０と第二の延出板部３６によって突出脚部２６が形成されており、突出脚部２６は一対の第一の延出板部３０，３０と第二の延出板部３６で三面が形成された中空構造とされている。上述のように、第一の延出板部３０が形成された側方突出板部２８が被覆部材１８と一体形成されていると共に、第二の延出板部３６が側方突出板部２８に一体形成されていることによって、突出脚部２６は被覆部材１８に一体形成されている。
【００３６】
そして、板形状を有する第一の延出板部３０および第二の延出板部３６の長さ方向の略中央部分には、部材弾性による撓み変形が許容された押圧部４０ａ、４０ｂがそれぞれ形成されている。これにより、ヒューズ１０の厚さ方向で対向位置された一対の第一の延出板部３０，３０の押圧部４０ａ、４０ａに対して手指で直接に或いは適当な工具等を介してヒューズ１０の厚さ方向両側から押圧力：Ｆ１（図１参照）を及ぼすことにより、一対の第一の延出板部３０，３０にそれぞれ形成された第一の保持側係止部３２，３２を互いに接近させて、突出脚部２６の内方に変位させることが出来る。また、ヒューズ１０の両側方に位置された一対の第二の延出板部３６、３６の押圧部４０ｂ、４０ｂに対して手指で直接に或いは適当な工具等を介してヒューズ１０の長さ方向両側から押圧力：Ｆ２を及ぼすことにより、一対の第二の延出板部３６，３６にそれぞれ形成された第二の保持側係止部３８，３８を互いに接近させて、それぞれの突出脚部２６，２６の内方に変位させることが出来る。
【００３７】
また、被覆部材１８において接続端子２０が突出された面と反対側の天面４２には、把持部４４が一体形成されている。把持部４４は矩形ブロック形状をもって天面４２から接続端子２０と反対方向に突出されており、その突出端部には、全周に亘って外方に突出する横壁部４６が一体形成されている。なお、特に本実施形態における把持部４４は、ヒューズ１０の中心軸：Ｏと同一中心軸上に形成されている。
【００３８】
一方、電気接続箱１２には、ヒューズ１０を装着する装着部１４が設けられている。図１に示したように、装着部１４は、電気接続箱１２の上底壁４８上に開口する一対の脚部挿入孔５０，５０と、一対の端子挿入孔５２，５２を有している。脚部挿入孔５０の断面形状は、ヒューズ１０の突出脚部２６に対応する略Ｔ字形状とされている。図３に示すように、脚部挿入孔５０の上底壁４８への開口端部には、上底壁４８が脚部挿入孔５０の外側から内方に僅かに突出されて形成された係止壁部５４が設けられている。
【００３９】
これら一対の脚部挿入孔５０，５０の間には、略長手矩形状をもって上底壁４８から僅かに窪んだ凹部５６が形成されており、この凹部５６の底面上に、一対の端子挿入孔５２、５２が開口形成されている。端子挿入孔５２にはヒューズ１０の接続端子２０が挿入可能とされている。また、例えば本実施形態において一方の端子挿入孔５２内には、電気接続箱１２に設けられた図示しないバスバーの接続端子部５８が配設されており、接続端子部５８を含んで電気接続箱１２の電気回路が構成されている。また、凹部５６の四隅部には、ヒューズ１０の挿抜方向で突出する保護壁部６０がそれぞれ形成されている。
【００４０】
このような構造とされた装着部１４にヒューズ１０を装着する場合には、図３（ａ）に示すように、ヒューズ１０の突出脚部２６，２６を装着部１４の脚部挿入孔５０，５０にそれぞれ挿入して、ヒューズ１０を電気接続箱１２に対して接続端子２０の突出方向（図３中、下方）に押し込む。この押し込みに際して、接続端子２０が端子挿入孔５２に挿入されるよりも前に、第一の保持側係止部３２が電気接続箱１０の上底壁４８に係止されることにより、ヒューズ１０の挿込方向（図３中、下方）への変位が規制される。それと共に、突出脚部２６に形成された第二の保持側係止部３８が係止壁部５４を乗り越えて、第二の保持側係止部３８が係止壁部５４に係止されることにより、ヒューズ１０の引抜方向（図３中、上方）への変位が規制される。
【００４１】
これら第一の保持側係止部３２と上底壁４８との係合および第二の保持側係止部３８と係止壁部５４との係合によって、ヒューズ１０は電気接続箱１２に対する挿抜方向の両方向の変位が規制される。これにより、ヒューズ１０は、接続端子２０が端子挿入孔５２に対して挿入方向の途上で位置合わせされて、端子挿入孔５２内に配設された接続端子部５８との非接続状態で仮位置決めされて仮保持されるようになっている。このように、本実施形態においては、上底壁４８が第一の受側係止部とされていると共に、係止壁部５４が第二の受側係止部とされており、これら上底壁４８と係止壁部５４を含んで電気接続箱の仮受部が構成されている。
【００４２】
そして、図３（ａ）に示した仮保持状態からヒューズ１０を電気接続箱１２に設けられた接続端子部５８と接続する場合には、第一の保持側係止部３２と上底壁４８との係合状態を解除する。この係合状態の解除は、突出脚部２６，２６のそれぞれにおいて一対の押圧部４０ａ、４０ａを手指や工具で直接に押圧したり、ヒューズ１０を仮保持状態から挿入方向に更に押し込むことによる上底壁４８と第一の保持側係止部３２との案内作用によって、押圧部４０ａ，４０ａを弾性変形させて第一の保持側係止部３２を突出脚部２６の内方にそれぞれ変位させる。これにより、第一の保持側係止部３２、３２と上底壁４８との係合が解除されると共に第一の保持側係止部３２、３２が上底壁４８を乗り越えて、ヒューズ１０の挿込方向の変位が許容される。その結果、図３（ｂ）に示すように、接続端子２０，２０が端子挿入孔５２，５２にそれぞれ挿入されて、一方の接続端子２０が一方の端子挿入孔５２内に配設された接続端子部５８と接続されると共に、他方の接続端子２０は例えば他方の端子挿入孔５２内で図示しない外部電線の圧着端子等と接続される。なお、図示は省略するが、装着部１４に装着されたヒューズ１０の四隅には保護壁部６０が配設されて、他部材との衝突等から保護されると共に、装着部１４に対する傾斜が阻止されるようになっている。
【００４３】
そして、装着部１４に装着されたヒューズ１０を電気接続箱１２から取り外す場合には、把持部４４を摘んでヒューズ１０を接続端子２０の突出方向と反対の引抜方向（図３中、上方向）に引っ張る。それと共に、それぞれの突出脚部２６において第一の保持側係止部３２、３２が形成された押圧部４０ａ，４０ａを直接に押圧したり、ヒューズ１０をより強く引っ張ることで押圧部４０ａ，４０ａを突出脚部２６の内方に弾性変形させて、第一の保持側係止部３２、３２と上底壁４８との係合を解除する。これにより、図３（ａ）に示した仮保持状態に戻す。そして、第二の保持側係止部３８，３８が形成された押圧部４０ｂに押圧部４０ａと同様に押圧力を及ぼして突出脚部２６の内方に弾性変形させることで、第二の保持側係止部３８と上底壁４８との係合を解除する。これにより、ヒューズ１０を電気接続箱１２から取り外すことが出来る。
【００４４】
このような構造とされたヒューズ１０および電気接続箱１２によれば、ヒューズ１０自体に仮保持部としての突出脚部２６を一体形成したことから、従来必要とされていたヒューズホルダ等の別部品を用いること無しに、ヒューズ１０を電気接続箱１２に対する仮保持状態とすることが出来る。そして、被覆部材１８の視認部２４を通じて溶断部２２の状態を外部から容易に視認することも可能とされており、従来のヒューズホルダを用いた場合等のように、一々ホルダから取り出す手間も不要とされる。
【００４５】
また、ヒューズ１０を挿込方向の途中で仮保持出来ることから、ヒューズ１０を仮保持状態から電気接続箱１２に向けて更に押し込むという極めて簡易な操作でヒューズ１０を装着部１４に装着出来ると共に、ヒューズ１０の誤組付けのおそれも軽減することが出来る。それと共に、電気接続箱１２上にヒューズを仮保持するための特別な収容スペース等を形成することも不要とされて、優れたスペース効率を得ることが出来る。また、仮保持状態からの挿し込みに際して、突出脚部２６と脚部挿入孔５０の間で案内作用も発揮され得て、接続端子２０を端子挿入孔５２に安定的に挿入することも出来る。特に、本実施形態のヒューズ１０は一対の突出脚部２６、２６が両端部に設けられた門形状とされていることから、仮保持状態や挿入時の案内作用がより安定的に発揮される。
【００４６】
さらに、ヒューズ１０を装着部１４から引き抜く際には、被覆部材１８から突出して一体形成された把持部４４を摘むことによって、引き抜きが容易とされている。特に、横壁部４６が形成されていることから挿入時には手指や工具との接触面積が有効に確保されると共に、引抜時には手指や工具が引っ掛け易くされている。更に、把持部４４がヒューズ１０の中心軸上に形成されていることから、ヒューズ１０により安定して挿抜操作力を及ぼすことが出来る。
【００４７】
加えて、接続端子２０、２０のそれぞれの形状や端子間ピッチが従来公知のミニヒューズと略同形状とされていることから、装着部１４側の端子挿入孔５２等は、従来のミニヒューズ用の形状と同形状とすることが出来る。これにより、例えばヒューズ１０が溶断する等して交換が必要な場合には、本発明に従うヒューズ１０に代えて、従来公知のミニヒューズを装着部１４に装着することも可能とされる。
【００４８】
次に、図４に、回路接続部品に関する本発明の第二の実施形態としての回路接続部品に係るヒューズ７０を示す。なお、以下の説明において、前記第一の実施形態と実質的に同様とされた部材および部位には、図中に前記第一の実施形態と同一の符号を付することにより、その説明を適宜に省略する。
【００４９】
ヒューズ７０の被覆部材１８は略Ｔ字の平板形状とされており、導通部材１６における溶断部２２と一対の接続端子２０、２０の端縁部の一部が被覆部材１８で被覆されている。これにより、ヒューズ７０は、略Ｔ字形状とされた被覆部材１８の長さ方向両端部から、一対の接続端子２０，２０がヒューズ７０の挿込方向（図４中、下方）に突出された所謂低背ヒューズと同様の形状を部分的に有している。特に本実施形態においては、前記第一の実施形態と同様に、接続端子２０および被覆部材１８で形成される低背ヒューズ形状が、従来公知の低背ヒューズと等しい大きさに設定されており、後述する装着部８０において従来公知の低背ヒューズとの互換性が得られている。なお、図示は省略するが、本実施形態における被覆部材１８についても視認部２４が形成されて溶断部２２が外部から目視可能とされることが好ましい。
【００５０】
そして、被覆部材１８には、一対の接続端子２０、２０の間で接続端子２０，２０と同方向に突出する仮保持部としての突出脚部７２が一体形成されている。突出脚部７２は略板形状を有しており、被覆部材１８からの突出端部の両面には、三角形状断面をもってヒューズ７０の外方に突出する第一の保持側係止部７４と第二の保持側係止部７６が、突出脚部７２の突出方向で隣接してそれぞれ形成されている。なお、第二の保持側係止部７６が第一の保持側係止部７４よりも突出脚部７２の突出先端側に位置されている。また、突出脚部７２の突出端縁部は、第二の保持側係止部７６から連続する先細形状とされている。
【００５１】
このような構造とされたヒューズ７０は、図５に示すように、電気接続箱に関する本発明の第二の実施形態としての電気接続箱７８に設けられた装着部８０に装着される。装着部８０にはヒューズ挿入孔８２が形成されている。ヒューズ挿入孔８２内には一対のランス８４，８４が設けられており、このランス８４、８４には、ヒューズ挿入孔８２の内方に向けて突出する係止爪８６がそれぞれ形成されている。また、ヒューズ挿入孔８２内には、ヒューズ７０の接続端子２０，２０とそれぞれ対応する位置に、電線８８の端部に設けられた圧着端子９０がランス８４で係止保持されて配設されており、これら電線８８と圧着端子９０を含んで電気接続箱７８の電気回路が構成されている。
【００５２】
このような装着部８０のヒューズ挿入孔８２内に、ヒューズ７０の突出脚部７２が挿入される。そして、突出脚部７２がランス８４、８４間に挿入されて、接続端子２０がヒューズ挿入孔８２内に挿入されるよりも前に、第二の保持側係止部７６がランス８４，８４の係止爪８６を乗り越えると共に第一の保持側係止部７４が係止爪８６で係止される。これにより、第一の保持側係止部７４が係止爪８６で係止されることによって、ヒューズ７０の挿入方向の変位が規制されると共に、第二の保持側係止部７６が係止爪８６で係止されることによって、ヒューズ７０の引抜方向の変位が規制されて、ヒューズ７０が電気接続箱７８に対する仮保持状態とされる。このように、本実施形態においては、係止爪８６が第一の受側係止部および第二の受側係止部とされて、電気接続箱の仮受部とされている。
【００５３】
そして、仮保持状態からヒューズ７０を挿入方向に更に押し込んで、第一の保持側係止部７４も係止爪８６を乗り越えさせることによって、突出脚部７２とランス８４，８４との係合状態が解除されて、ヒューズ７０がヒューズ挿入孔８２内に挿入されると共に、接続端子２０、２０が圧着端子９０，９０と接続される。
【００５４】
本実施形態によれば、突出脚部７２をヒューズ挿入孔８２内に収容出来ることから、ヒューズ挿入孔８２を大型化したり、突出脚部７２を挿入するための特別な挿入孔をヒューズ挿入孔８２の外部に形成することも不要とすることが出来て、装着部８０をスペース効率良く形成することが出来る。また、従来の別体のヒューズホルダ等を用いる構造に比して、ヒューズ７０および装着部８０をよりコンパクトに形成することが出来て、メンテナンス等の作業を邪魔するおそれも軽減することが出来る。更に、一つの突出脚部７２を形成するのみで足ることから、被覆部材１８の形成材料の削減を図ることも出来る。
【００５５】
次に、図６に、回路接続部品に関する本発明の第三の実施形態としてのショートピン１００と、電気接続箱に関する本発明の第三の実施形態としての電気接続箱１０２の要部を示す。
【００５６】
ショートピン１００の導通部材１６は、略一定の幅寸法を有する門形状とされており、一対の接続端子２０，２０が前記溶断部２２を介することなく、接続端子２０と略等しい幅寸法の連結部１０４で互いに連結されている。そして、導通部材１６の連結部１０４および接続端子２０，２０の連結部１０４側が平板形状の被覆部材１８で被覆されることによって、接続端子２０，２０が被覆部材１８から突出されている。これにより、ショートピン１００には、従来公知の所謂ショートピンと略同様の形状が部分的に形成されている。なお、接続端子２０，２０と被覆部材１８で形成されるショートピン形状は、従来公知のショートピンと等しい大きさに設定されることが好ましく、これにより、後述する電気接続箱１０２の装着部１１８において従来公知のショートピンとの互換性を得ることが出来る。また、本実施形態における被覆部材１８にも視認部２４が形成されることが好ましく、これにより、外部からショートピンであることを容易に視認することが出来る。
【００５７】
さらに、被覆部材１８の長さ方向（図６中、左右方向）両端部には、被覆部材１８の長さ方向外方に突出する板状の側方突出壁部１０６がそれぞれ一体形成されている。そして、側方突出壁部１０６の突出先端部には、接続端子２０の突出方向と同方向に突出する板状の突出脚部１０８が一体形成されており、突出脚部１０８の突出先端部には、三角形状断面をもってショートピン１００の内方に突出する第一の保持側係止部１１０と第二の保持側係止部１１２が隣接して形成されている。なお、第二の保持側係止部１１２が第一の保持側係止部１１０に比して突出脚部１０８の突出先端側に位置される。
【００５８】
また、側方突出壁部１０６の突出先端部には、接続端子２０の突出方向と反対方向に突出する板状の把持部１１４が一体形成されている。なお、把持部１１４の突出端部には、被覆部材１８の長さ方向外方に突出する片部１１６が形成されており、手指や工具が引っ掛け易くされている。そして、ショートピン１００の両端部に形成された一対の把持部１１４、１１４にショートピン１００の長さ方向の両外側から押圧力：Ｆ３を及ぼすことによって、側方突出壁部１０６、１０６が弾性変形されて、突出脚部１０８，１０８の突出先端部が拡開可能とされている。
【００５９】
一方、電気接続箱１０２には装着部１１８が設けられている。装着部１１８には一対の端子挿入孔１２０，１２０と、これら端子挿入孔１２０，１２０を挟んで一対の脚部挿入孔１２２，１２２が形成されており、脚部挿入孔１２２には、脚部挿入孔１２２の内方に突出する仮受部としての係止爪１２４が形成されている。
【００６０】
そして、ショートピン１００の突出脚部１０８，１０８が装着部１１８の脚部挿入孔１２２，１２２に挿入されて、接続端子２０，２０が端子挿入孔１２０，１２０に挿入されるよりも前に、第二の保持側係止部１１２が係止爪１２４を乗り越える。これにより、第一の保持側係止部１１０が第一の受側係止部としての係止爪１２４の上面に係止されて、ショートピン１００の挿込方向の変位が規制されると共に、第二の保持側係止部１１２が第二の受側係止部としての係止爪２４の下面に係止されて、ショートピン１００の引抜方向の変位が規制されることによって、ショートピン１００が仮保持状態とされる。また、仮保持状態から接続端子２０，２０を端子挿入孔１２０，１２０に挿入する場合には、ショートピン１００を更に押し込むか、手指や工具等で把持部１１４に押圧力：Ｆ３を及ぼして突出脚部１０８，１０８を拡開して、第一の保持側係止部１１０と係止爪１２４との係合状態を解除することにより、ショートピン１００の挿入方向の変位が許容される。
【００６１】
本実施形態によれば、把持部１１４を操作することによって、突出脚部１０８，１０８を拡開することが出来る。これにより、第一の保持側係止部１１０や第二の保持側係止部１１２の係止爪１２４による係止状態を容易に解除することが出来る。また、本実施形態からも明らかなように、把持部は必ずしも単一の突部である必要は無く、複数箇所に形成した突部で形成する等しても良い。
【００６２】
次に、図７に、回路接続部品に関する本発明の第四の実施形態としてのヒューズ１３０と、電気接続箱に関する本発明の第四の実施形態としての電気接続箱１３２の要部を示す。なお、図７においては、把持部を省略して図示するが、把持部としては、本明細書に記載の各形状を含む各種の形状が適宜に採用可能である。
【００６３】
ヒューズ１３０は、前記第二の実施形態（図４参照）と同様に、被覆部材１８から接続端子２０，２０が突出された所謂低背ヒューズ形状を部分的に有している。そして、被覆部材１８の長さ方向両端部が長さ方向外方に張り出されて、その先端部が接続端子２０の突出方向と同方向に突出されることにより、仮保持部としての一対の突出脚部１３４，１３４が形成されている。突出脚部１３４は板形状とされており、板厚方向に貫通するピン挿通孔１３６が形成されている。
【００６４】
ピン挿通孔１３６は、突出脚部１３４の突出方向先端側に位置された略円形状の係止部１３８から、ガイド部１４０が突出脚部１３４の突出方向と反対方向に延び出された略鍵穴形状とされている。ガイド部１４０は係止部１３８との接続部分から離れるに連れて次第に拡幅されており、ガイド部１４０と係止部１３８との接続部分に設けられた第一の保持側係止部１４１の幅寸法は、後述する係合ピン１４８の径寸法よりもやや小さくされている。
【００６５】
一方、電気接続箱１３２には、装着部１４２が形成されている。装着部１４２は電気接続箱１３２上に突出形成された略矩形ブロック形状とされており、ヒューズ挿入孔１４４がその突出端面に開口形成されている。更に、装着部１４２の長さ方向両端部には、長さ方向外方に開口して装着部１４２の突出方向に延びる凹状のガイド溝１４６が形成されている。ガイド溝１４６の幅寸法は、ヒューズ１３０における突出脚部１３４の幅寸法よりも僅かに大きくされている。また、装着部１４２には、ガイド溝１４６の底面から装着部１４２の長さ方向外方に突出する円柱形状を有する仮受部としての係合ピン１４８が形成されており、この係合ピン１４８が仮受部とされている。係合ピン１４８の径寸法は、突出脚部１３４に形成された係止部１３８の径寸法よりも僅かに小さくされる。
【００６６】
このような装着部１４２にヒューズ１３０を仮保持させる場合には、一対の突出脚部１３４，１３４を拡開して、装着部１４２のガイド溝１４６に嵌め合わせた状態で、それぞれの係止部１３８に係合ピン１４８を挿通させる。そして、係合ピン１４８がピン挿通孔１３６に設けられた第一の保持側係止部１４１で係止されることによって、ヒューズ１３０の挿入方向の変位が規制されると共に、係合ピン１４８が係止部１３８において第一の保持側係止部１４１と反対側の第二の保持側係止部１５０で係止されることによって、ヒューズ１３０の引抜方向の変位が規制される。これにより、ヒューズ１３０は、装着部１４２に対して、接続端子２０，２０がヒューズ挿入孔１４４への挿入途上に位置決めされて仮保持される。そして、仮保持状態からヒューズ１３０を更に押し込んで、係合ピン１４８をピン挿通孔１３６の係止部１３８から第一の保持側係止部１４１を乗り越えさせてガイド部１４０内に案内することによって、ヒューズ１３０の挿入方向の変位が許容されて、接続端子２０，２０がヒューズ挿入孔１４４に挿入される。
【００６７】
本実施形態によれば、係合ピン１４８とピン挿通孔１３６との案内作用と、突出脚部１３４とガイド溝１４６との案内作用によって、ヒューズ１３０を挿抜方向に安定して移動させることが出来る。また、係合ピン１４８とピン挿通孔１３６との係合状態を解除する際には、突出脚部１３４を外方に弾性変形させる必要があることから、ヒューズ１３０が装着部１４２から脱落するおそれを軽減することが出来る。
【００６８】
なお、図８に示すように、ピン挿通孔１３６において係止部１３８と反対側に、係止部１３８と同様に略円形状の固定側係止部１５２を形成して、ガイド部１４０との接続部分１５４の幅寸法を係合ピン１４８の径寸法より僅かに小さくするなどしても良い。このようにすれば、ヒューズ１３０を仮保持状態から更に押し込んで、接続端子２０，２０を電気接続箱１３２の電気回路と接続する際に、係合ピン１４８が接続部分１５４を乗り越えることによって、節度感を与えることが出来る。また、接続部分１５４が係合ピン１４８に係止されることによって、ヒューズ１３０の引抜方向（図８中、上方）の変位を規制することが出来て、電気接続箱１３２との電気的接続状態をより安定的に維持することが出来る。
【００６９】
次に、図９に、回路接続部品に関する本発明の第五の実施形態としてのヒューズ１６０と、電気接続箱に関する本発明の第五の実施形態としての電気接続箱１６２の要部を示す。なお、図９および後述する図１０においては、把持部を省略して図示するが、把持部としては、本明細書に記載の各形状を含む各種の形状が適宜に採用可能である。
【００７０】
ヒューズ１６０は所謂低背ヒューズ形状を部分的に有している。そして、被覆部材１８の長さ方向両端部には、菱形断面形状をもって被覆部材１８の長さ方向外方に突出する、仮保持部としての一対の突出腕部１６４が形成されている。
【００７１】
一方、電気接続箱１６２には、装着部１６６が形成されている。装着部１６６にはヒューズ挿入孔１６８が開口形成されていると共に、長さ方向両端部には、ヒューズ１６０の挿抜方向で突出する一対のガイド壁１７０がヒューズ挿入孔１６８を挟んで設けられている。ガイド壁１７０は装着部１６６の内方に向けて開口するコの字状断面を有している。ガイド壁１７０には、突出先端面１７４上に開口すると共にヒューズ１６０の挿抜方向に延びるガイド溝１７２が形成されている。ガイド溝１７２の溝幅寸法は、菱形を有する突出腕部１６４の断面形状の対角線よりも僅かに小さくされている。また、ガイド溝１７２の中間部分には、突出腕部１６４の菱形断面形状に対応して拡幅された仮受部１７６が形成されていると共に、ガイド溝１７２の突出先端面１７４と反対側の延出端縁部には、突出腕部１６４の菱形断面形状に対応して拡幅された固定側係止部１７８が形成されている。
【００７２】
このような装着部１６６にヒューズ１６０を仮保持させる場合には、ヒューズ１６０を一対のガイド壁１７０、１７０間に挿入して、突出腕部１６４をガイド壁１７０の突出先端面１７４側からガイド溝１７２に挿入する。そして、ガイド溝１７２の案内作用に従ってヒューズ１６０を挿入方向に移動させると、接続端子２０がヒューズ挿入孔１６８に挿入されるよりも前に、突出腕部１６４が仮受部１７６に係止される。これら突出腕部１６４と仮受部１７６との係合により、ヒューズ１６０の挿抜方向変位が規制されて、ヒューズ１６０が仮保持状態とされる。
【００７３】
この仮保持状態からヒューズ１６０を更に押し込むことによって、突出腕部１６４と仮受部１７６との係合を解除して、接続端子２０，２０をヒューズ挿入孔１６８に挿入する。接続端子２０，２０のヒューズ挿入孔１６８への挿入に際して、突出腕部１６４が固定側係止部１７８と係合されることによって節度感が与えられると共に、ヒューズ１６０を正規の装着状態に安定的に維持することが出来る。本実施形態から明らかなように、仮保持部は、必ずしも接続端子と同方向に突出するものに限定されず、接続端子の突出方向に直交して形成される等しても良い。
【００７４】
なお、図１０に示すように、ガイド溝１７２を、仮受部１７６からガイド壁１７０の側面１８０に開口させる等しても良い。本態様においては、コの字形状のガイド壁１７０は、装着部１６６の外方に開口されている。本態様によれば、ヒューズ１６０の突出腕部１６４は、ガイド壁１７０の側面１８０側からガイド溝１７２内に挿入される。そして、ヒューズ１６０が挿抜方向に直交して移動されることによって突出腕部１６４が仮受部１７６と係合される。このようにすれば、ガイド溝１７２の仮受部１７６からの延出方向がヒューズ１６０の挿抜方向と異ならされて、仮受部１７６がヒューズ１６０の引抜方向の端部に位置されることから、ヒューズ１６０の引抜方向の変位をより安定的に規制することが出来る。
【００７５】
以上、本発明の実施形態について詳述したが、本発明はその具体的な記載によって限定されない。例えば、仮保持部や把持部の具体的構造は、要求される挿抜の操作性や保持力、電気接続箱の形状や配設スペース等を考慮して適宜に設定可能である。以下に、把持部について異なる態様を幾つか示す。なお、把持部の異なる態様を示す図１１〜図１７については、仮保持部を省略して図示するが、仮保持部としては、本明細書に記載の各形状を含む各種の形状が適宜に採用可能である。
【００７６】
先ず、図１１に示すヒューズ１９０には、被覆部材１８から接続端子２０の突出方向と反対方向に突出する矩形ブロック形状の把持部１９２が形成されている。把持部１９２の側面には、ヒューズ１９０の挿抜方向に直交して延びる複数のリブ１９４がヒューズ１９０の挿抜方向で適当な間隔を隔てて形成されている。このようにすれば、把持部１９２が折損するおそれを軽減できると共に、リブ１９４によって把持部１９２を摘む手指や工具の滑りを抑えることが出来る。
【００７７】
また、図１２にヒューズ１９６を示すと共に、図１３にヒューズ１９８を示す。これらヒューズ１９６、１９８の被覆部材１８には、被覆部材１８の長さ方向の全長に亘って延びると共に接続端子２０の突出方向と反対方向に突出する板状の把持部２００，２０２がそれぞれ形成されている。ヒューズ１９６の把持部２００は略半円板形状とされている一方、ヒューズ１９８の把持部２０２は矩形板形状とされている。これらの態様によれば、簡易な構造で把持部を形成することが出来る。
【００７８】
更にまた、図１４に示すヒューズ２０４の把持部２０６は、被覆部材１８の長さ方向の全長に亘って延びると共に接続端子２０の突出方向と反対方向に突出する矩形の縦壁部２０８を有しており、縦壁部２０８の突出端部には、ヒューズ２０４の挿抜方向に直交して広がる横壁部２１０が形成されている。このようにすれば、ヒューズ２０４の押し込みに際して横壁部２１０で手指や工具との接触面積をより広く確保して、より有効な押圧力が得られると共に、ヒューズ２０４の引き抜きに際して横壁部２１０に手指や工具を引っ掛けて、容易に引き抜くことが出来る。
【００７９】
また、図１５に示すヒューズ２１２の把持部２１４は、被覆部材１８から接続端子２０の突出方向と反対方向に突出する矩形板形状を有しており、把持部２１４には、貫通孔２１６が形成されている。このようにすれば、工具等を貫通孔２１６に挿通してヒューズ２１２を引き抜くことも出来る。
【００８０】
また、図１６に示すヒューズ２２０の把持部２２２は、被覆部材１８の長さ方向に延びると共に、被覆部材１８から接続端子２０の突出方向と反対方向に突出する板形状とされている。把持部２２２は、被覆部材１８から離隔するに連れて、被覆部材１８の長さ方向一方の端部が他方の端部に接近して、被覆部材１８の長さ方向寸法が次第に小さくされている。このようにすれば、把持部２２２の小型化を図ることが出来て、他部材との干渉のおそれを軽減することが出来る。
【００８１】
更にまた、図１７に示すヒューズ２２４の把持部２２６は、被覆部材１８から接続端子２０の突出方向と反対方向に突出すると共に、その突出端縁部が被覆部材１８の長さ方向の両側に突出された略Ｔ字の板形状とされている。このようにすれば、手指や工具を引っ掛け易くすることが出来る。
【００８２】
以上、把持部について異なる態様を幾つか例示したが、本発明における把持部や仮保持部の具体的構造が、本明細書に記載のものに限定されることを示すものではないことが理解されるべきである。
【００８３】
そして、本発明における回路接続部品は、ミニヒューズタイプ、低背ヒューズタイプ、ショートピンタイプの導通部材と、前記各実施形態や各態様に例示の把持部や仮保持部を自由に組み合わせて構成することが可能である。
【００８４】
また、例えば、前記実施形態において被覆部材１８の内部を視認可能とする視認部２４を、被覆部材１８を貫通する窓部で形成する等しても良い。但し、視認部２４は必ずしも必要ではない。
【符号の説明】
【００８５】
１０、７０、１３０、１６０、１９０、１９６，１９８、２０４、２１２、２２０、２２４：ヒューズ（回路接続部品）、１２、７８、１０２、１３２、１６２：電気接続箱、１４、８０、１１８、１４２、１６６：装着部、１６：導通部材、１８：被覆部材、２０：接続端子、２６、７２、１０８、１３４：突出脚部（仮保持部）、３２、７４、１１０、１４１：第一の保持側係止部、３８、７６、１１２、１５０：第二の保持側係止部、４０ａ，ｂ：押圧部、４４、１１４、１９２、２００，２０２、２０６、２１４、２２２、２２６：把持部、４８：上底壁（第一の受側係止部）、５４：係止壁部（第二の受側係止部）、５８：接続端子部（電気回路）、８６：係止爪（第一の受側係止部、第二の受側係止部）、９０：圧着端子（電気回路）、１００：ショートピン（回路接続部品）、１２４：係止爪（仮受部）、１４８：係合ピン（仮受部）、１６４：突出腕部（仮保持部）
【図１】
2011035958.tif 000003
【図２】
2011035958.tif 000004
【図３】
2011035958.tif 000005
【図４】
2011035958.tif 000006
【図５】
2011035958.tif 000007
【図６】
2011035958.tif 000008
【図７】
2011035958.tif 000009
【図８】
2011035958.tif 000010
【図９】
2011035958.tif 000011
【図１０】
2011035958.tif 000012
【図１１】
2011035958.tif 000013
【図１２】
2011035958.tif 000014
【図１３】
2011035958.tif 000015
【図１４】
2011035958.tif 000016
【図１５】
2011035958.tif 000017
【図１６】
2011035958.tif 000018
【図１７】
2011035958.tif 000019